(57)【特許請求の範囲】
【請求項１】
水平方向に直線的に変位可能に扉に固定された閂と、その閂を常時突出方向に付勢するバネと、その閂を操作するために扉の内外に回転可能に設けられた内ハンドル及び外ハンドルと、閂を従節としてハンドルの回転運動を直線運動に変換して閂に伝達する開閉カムと、外ハンドルの回転軸の回転運動を拘束しうる錠とを備えた開閉装置において、
前記外ハンドルと内ハンドルとは各々個別に回転可能とされ、前記開閉カムは、外ハンドルの所定方向の回転に連動する外側開閉カムと内ハンドルの所定方向の回転に連動する内側開閉カムとからなり、
前記錠は、これを従節として軸回りに回転する錠カムの運動によって作動し、
前記内ハンドルの回転軸と錠カムとは、内ハンドルの回転軸と同心上でそれと連動する大円盤、錠カムの回転軸と同心上でそれを連動させる小円盤、及びそれら両円盤を連結するとともに両円盤に対して回転対偶をなす同じ長さの一対のリンクＡ、Ｂを介して連結され、且つ
リンクＡ、Ｂの小円盤側の連結軸Ａｓ、Ｂｓは、小円盤と同心の直径ｄの円周上の互いに点対称の位置に設けられ、大円盤側の連結軸Ａｂ、Ｂｂは、大円盤と同心の直径Ｄ（Ｄ＞ｄ）の円周に沿って設けられた２つのガイド孔に各々遊びをもって嵌合され、
解錠状態で内ハンドルが定位置より所定角度回転したときに錠が施錠状態に変わり、施錠状態で内ハンドルが定位置より前記と逆に所定角度回転したときに錠が解錠状態に変わることを特徴とする開閉装置。
【請求項２】
水平方向に直線的に変位可能に扉に固定された閂と、その閂を常時突出方向に付勢するバネと、その閂を操作するために扉の内外に回転可能に設けられた内ハンドル及び外ハンドルと、閂を従節としてハンドルの回転運動を直線運動に変換して閂に伝達する開閉カムと、外ハンドルの回転軸の回転運動を拘束しうる錠とを備えた開閉装置において、
前記外ハンドルと内ハンドルとは各々個別に回転可能とされ、前記開閉カムは、外ハンドルの所定方向の回転に連動する外側開閉カムと内ハンドルの所定方向の回転に連動する内側開閉カムとからなり、
前記錠は、これを従節として軸回りに回転する錠カムの運動によって作動し、
前記内ハンドルの回転軸と錠カムとは、
内ハンドルの回転軸と同心をなしそれに対して空転可能で主面の偏心位置に突出したガイド柱を有する直径Ｄの大歯車、
内ハンドルの回転軸と同心上でそれと連動し、ガイド柱に対応する偏心位置に遊びをもってガイド柱を大歯車の回転方向に案内するガイド孔を有するガイド板、及び
錠カムの回転軸と同心をなし大歯車と噛み合って錠カムの回転軸を連動させる直径ｄ（ｄ＜Ｄ）の小歯車
を介して連結され、
解錠状態で内ハンドルが定位置より所定角度回転したときに錠が施錠状態に変わり、施錠状態で内ハンドルが定位置より前記と逆に所定角度回転したときに錠が解錠状態に変わることを特徴とする開閉装置。
【請求項３】
水平方向に直線的に変位可能に扉に固定された閂と、その閂を常時突出方向に付勢するバネと、その閂を操作するために扉の内外に回転可能に設けられた内ハンドル及び外ハンドルと、閂を従節としてハンドルの回転運動を直線運動に変換して閂に伝達する開閉カムと、外ハンドルの回転軸の回転運動を拘束しうる錠とを備えた開閉装置において、
前記外ハンドルと内ハンドルとは各々個別に回転可能とされ、前記開閉カムは、外ハンドルの所定方向の回転に連動する外側開閉カムと内ハンドルの所定方向の回転に連動する内側開閉カムとからなり、
前記錠は、これを従節として軸回りに回転する錠カムの運動によって作動し、
前記内ハンドルの回転軸は中空であって、錠カムの回転軸はその内部に同心上にあり、前記内ハンドル回転軸と錠カムとは、
内ハンドル回転軸から所定距離の位置の静止系にその回転軸と平行な軸の回りに揺動可能に固定されて、非先端部に回転面と直交するガイド柱、先端部に凹部を各々有する第一の振り子、
内ハンドル回転軸と同心でそれと連動し、前記ガイド柱に対応する偏心位置に遊びをもってガイド柱を第一振り子の揺動方向に案内するガイド板、及び
一端が錠カム回転軸に固定され、他端に回転面と直交し前記凹部に嵌合するガイド柱を有する第二の振り子
を介して連結され、
解錠状態で内ハンドルが定位置より所定角度回転したときに錠が施錠状態に変わり、施錠状態で内ハンドルが定位置より前記と逆に所定角度回転したときに錠が解錠状態に変わることを特徴とする開閉装置。
【請求項４】
水平方向に直線的に変位可能に扉に固定された閂と、その閂を常時突出方向に付勢するバネと、その閂を操作するために扉の内外に回転可能に設けられた内ハンドル及び外ハンドルと、閂を従節としてハンドルの回転運動を直線運動に変換して閂に伝達する開閉カムと、外ハンドルの回転軸の回転運動を拘束しうる錠とを備えた開閉装置において、
前記外ハンドルと内ハンドルとは各々個別に回転可能とされ、前記開閉カムは、外ハンドルの所定方向の回転に連動する外側開閉カムと内ハンドルの所定方向の回転に連動する内側開閉カムとからなり、
前記錠は、これを従節として軸回りに回転する錠カムの運動によって作動し、
前記内ハンドルの回転軸と錠カムとは、
内ハンドルの回転軸と同心をなしそれに対して空転可能で一方向に長い茄子形をなし、主面の長寸方向の偏心位置及びその方向の先端位置に主面と直交する方向に突出したガイド柱ａ、ｂを有する大円盤、
内ハンドルの回転軸と同心上でそれと連動し、ガイド柱ａに対応する偏心位置に遊びをもってガイド柱ａを大円盤の回転方向に案内するガイド孔を有するガイド板、及び
錠カムの回転軸と同心をなして一方向に長い茄子形をなし、その長寸方向の偏心位置に大円盤のガイド柱ｂと嵌合する長いガイド孔を有する小円盤
を介して連結され、
解錠状態で内ハンドルが定位置より所定角度回転したときに錠が施錠状態に変わり、施錠状態で内ハンドルが定位置より前記と逆に所定角度回転したときに錠が解錠状態に変わることを特徴とする開閉装置。
【発明の詳細な説明】
【０００１】
【発明の属する技術分野】
この発明は、トイレ、浴室、オフィスビルの事務室などの個室の出入り口に設けられた扉を施錠可能に開閉する装置に属する。
【０００２】
【従来の技術】
個室の扉を施錠可能に開閉する装置は、スライド式と回転式に大別される。スライド式は、水平方向に直線的に変位可能に扉に固定された閂と、その閂を操作するために掴むハンドルと、閂を受け入れるように扉の枠の所定位置に設けられた留め金とからなる。そして、扉を閉じる場合には、使用者がハンドルを操作して閂を扉の端面から突き出させて留め金にはめ込む。回転式は、ハンドルが回転可能に付けられ、上記の閂と留め金の他に、ハンドルの回転運動を直線運動に変換して閂に伝達するカム機構と、閂を常時突出方向に付勢するコイルバネとを備える。そして、扉が閉じられているときは、コイルバネの復元力により閂が留め金内にはめ込まれて自動的に閉状態に固定されており、扉を開く場合は、ハンドルを回転させてコイルバネの復元力に抗して閂を後退させて留め金との係わりを解く。
開閉装置には、入室中に外側から不意にあけられることのないように施錠する錠機構が付設されていることが多い。
【０００３】
【発明が解決しようとする課題】
しかしながら、従来の開閉装置に付設される錠機構は、そのつまみが開閉装置のハンドルと別体になっているため、施錠後に手をハンドルから離してからつまみを操作しなければならない。この所用時間は短いようであるが、腹下しの際のように緊急に用便する必要に迫られたときは結構長く感じる。また、用便後に外に出る場合も先ずつまみを操作して解錠してからハンドルを操作して閂を後退させなければならない。臭いの強い便が出た後などのように早く外に出たいときは面倒である。
それ故、この発明は、ハンドルを操作するだけで扉の開閉と、施錠及び解錠も可能な開閉装置を提供することにある。
【０００４】
【課題を解決するための手段】
その課題を解決するために、この発明の開閉装置は、
水平方向に直線的に変位可能に扉に固定された閂と、その閂を常時突出方向に付勢するバネと、その閂を操作するために扉の内外に回転可能に設けられた内ハンドル及び外ハンドルと、閂を従節としてハンドルの回転運動を直線運動に変換して閂に伝達する開閉カムと、外ハンドルの回転軸の回転運動を拘束しうる錠とを備えた開閉装置において、
前記外ハンドルと内ハンドルとは各々個別に回転可能とされ、前記開閉カムは、外ハンドルの所定方向の回転に連動する外側開閉カムと内ハンドルの所定方向の回転に連動する内側開閉カムとからなり、
前記錠は、これを従節として軸回りに回転する錠カムの運動によって作動し、内ハンドルの回転軸と錠カムとは、解錠状態で内ハンドルが定位置より所定角度回転したときに錠が施錠状態に変わり、施錠状態で内ハンドルが定位置より前記と逆に所定角度回転したときに錠が解錠状態に変わるように連結されていることを特徴とする。
【０００５】
この開閉装置によれば、外ハンドルを操作して外側開閉カムを回転させ、閂を後退させることにより扉を開く。内側に入って内ハンドルを握って扉を閉じると、バネの復元力により閂が自動的に突出位置に復帰する。また、内ハンドルを所定方向（例えば反時計方向、以下同様）に回転させると内側開閉カムの作用でバネの復元力に抗して閂が後退して扉が開く。内外のハンドルは手を離すと通常、それらの回転軸の回りに配された捻りバネなどの作用で定位置に復帰する。ここまでは公知の開閉装置と同様である。
【０００６】
従来と異なるのは、内側より扉を閉じた後、握っている内ハンドルを定位置より反対方向（例えば時計方向、以下同様）に回転させると施錠状態となる点である。従って、扉を閉じるときに握った内ハンドルを離さずに即座に施錠することができる。また、用便後、再び内ハンドルを握って反時計方向に回転させるだけで解錠状態となると同時に閂も後退する。従って、解錠時に握った内ハンドルを離さずに即座に扉を開くことができる。
【０００７】
前記内ハンドルの回転軸と錠カムとの一つの連結は、内ハンドルの回転軸と同心上でそれと連動する大円盤、錠カムの回転軸と同心上でそれを連動させる小円盤、及びそれら両円盤を連結するとともに両円盤に対して回転対偶をなす同じ長さの一対のリンクＡ、Ｂを介してなされる。
この場合、リンクＡ、Ｂの小円盤側の連結軸Ａｓ、Ｂｓは、小円盤と同心の直径ｄの円周上で互いに点対称の位置に設けられ、大円盤側の連結軸Ａｂ、Ｂｂは、大円盤と同心の直径Ｄ（Ｄ＞ｄ）の円周に沿って設けられた２つのガイド孔に各々遊びをもって嵌合される。
【０００８】
この連結手段によれば、解錠時に内ハンドルを反時計方向に回転させると、大円盤が回転し、その回転運動がリンクＡ、Ｂにより小円盤に伝達されて小円盤を回転させ、錠カムを解錠方向に連動させる。手を離して内ハンドルが捻りバネなどの作用で定位置に復帰しても、前記連結軸Ａｂ、Ｂｂがガイド孔の遊びの範囲で変位するだけなので、錠カムは動かず解錠状態は維持される。
【０００９】
一方、施錠時には内ハンドルを定位置より時計方向に回転させ、リンク及び小円盤を介して錠カムを施錠方向に連動させる。この場合も手を離して内ハンドルが捻りバネなどの作用で定位置に復帰しても、前記連結軸がガイド孔の遊びの範囲で変位するだけなので、錠カムは動かず施錠状態は維持される。
【００１０】
また、Ｄ＞ｄの関係にあるから、施錠及び解錠のいずれの場合も、内ハンドルの少ない回転運動で錠カムを大きく回転させることができる。通常ハンドルは、４５°回転させるのが使い勝手が良いので、ガイド孔の遊びは、４５°の中心角に対する円弧長の範囲に亘って設けられ、Ｄ＝２ｄの関係に設計される。こうすると、内ハンドルを４５°回転させることで錠カムを９０°回転させることができ、施錠及び解錠を確実に行うことができる。
尚、大円盤及び小円盤は、便宜上そのように名付けたが、真円である必要はなく、それに近い多角形や楕円形であってもよい。
【００１１】
前記内ハンドルの回転軸と錠カムとの別の連結は、内ハンドルの回転軸と同心をなしそれに対して空転可能で主面の偏心位置にガイド柱を有する直径Ｄの大歯車、内ハンドルの回転軸と同心上でそれと連動し、ガイド柱に対応する偏心位置に遊びをもってガイド柱を大歯車の回転方向に案内するガイド孔を有するガイド板、錠カムの回転軸と同心をなし大歯車と噛み合って錠カムの回転軸を連動させる直径ｄ（ｄ＜Ｄ）の小歯車を介してなされる。
【００１２】
この連結手段によれば、解錠状態から施錠する時は、内ハンドルを反時計方向に回転させてガイド板を回転させる。するとガイド孔とガイド柱との噛み合いにより大歯車が回転し、同時に小歯車が連れられて回り、錠カム回転軸が施錠方向に共回りする。手を離して内ハンドルが定位置に復帰してもガイド板がガイド孔の遊びの範囲で変位するだけなので、このときは大歯車は回転しない。従って、施錠状態は維持される。解錠するときは各回転要素が逆方向に回転して錠カムを解錠方向に連動させる。
この連結手段の場合も、Ｄ＝２ｄとし、ガイド孔を４５°の中心角に対する円弧長の範囲に亘って設けることにより、内ハンドルの４５°回転に伴って錠カムを９０°回転させることができる。
【００１３】
開閉装置によっては、前記内ハンドルの回転軸が中空であって、錠カムの回転軸はその内部に同心上に設けられている場合がある。この種の開閉装置の場合、前記内ハンドル回転軸と錠カムとの連結は、第一、第二の二つの振り子と一つのガイド板を介してなされる。
第一の振り子は、内ハンドル回転軸から所定距離の位置の静止系にその回転軸と平行な軸の回りに揺動可能に固定されて、非先端部に回転面と直交するガイド柱、先端部に凹部を各々有する。ガイド板は、内ハンドル回転軸と同心でそれと連動し、前記ガイド柱に対応する偏心位置に遊びをもってガイド柱を第一振り子の揺動方向に案内する。第二の振り子は、一端が錠カム回転軸に固定され、他端に回転面と直交し前記凹部に嵌合するガイド柱を有する。
【００１４】
この連結手段によれば、施錠する時は、内ハンドルを時計方向に回転させる。するとガイド板が回転し、ガイド孔によって第一振り子のガイド柱を案内し第一振り子を反時計方向に揺動させる。同時に第一振り子の凹部と第二振り子のガイド柱の噛み合いにより第二振り子が揺動し錠カム回転軸が共回りする。手を離して内ハンドルが定位置に復帰してもガイド板がガイド孔の遊びの範囲で変位するだけなので、第一振り子のガイド柱を案内することはなく、錠カム回転軸は回転しない。従って、施錠状態は維持される。解錠するときは各回転要素が逆方向に回転して錠カム回転軸を解除方向に共回りさせる。
【００１５】
前記内ハンドルの回転軸と錠カムとの更に別の連結は、
内ハンドルの回転軸と同心をなしそれに対して空転可能で一方向に長い茄子形をなし、主面の長寸方向の偏心位置及びその方向の先端位置に主面と直交する方向に突出したガイド柱ａ、ｂを有する大円盤、
内ハンドルの回転軸と同心上でそれと連動し、ガイド柱ａに対応する偏心位置に遊びをもってガイド柱ａを大円盤の回転方向に案内するガイド孔を有するガイド板、及び
錠カムの回転軸と同心をなして一方向に長い茄子形をなし、その長寸方向の偏心位置に大円盤のガイド柱ｂと嵌合する長いガイド孔を有する小円盤
を介してなされる。
【００１６】
この連結手段は、前記大歯車及び小歯車が各々大円盤及び小円盤に、前記ガイド板が今回のガイド板に相当し、歯車同士の噛み合いに代えてガイド柱ｂと小円盤のガイド孔との嵌合を利用する。即ち、大円盤が回転すると同時にガイド柱ｂが回転しながら、小円盤のガイド孔内を滑り、小円盤を回転させる。その他は、前記歯車連結の場合と同様である。
【００１７】
【発明の実施の形態】
−実施形態１−
この発明の開閉装置の一実施形態を図面とともに説明する。図１はトイレの開閉装置をトイレ内側から見た正面図、図２はその右側面図、図３は図２の３−３断面図、図４は図２の４−４断面図、図５は図２の５−５断面図である。
【００１８】
開閉装置１は、図１に示すように扉Ｔに取り付けられ、内側に内ハンドル２、外側に外ハンドル３を有する。内外のハンドルは、水平方向を定位置とする互いに鏡像配置にあり、同じ中心線上に断面正方形の回転軸を有するが、両回転軸（以下、それぞれ内回転軸５、外回転軸６という）は互いに独立している。この実施形態では内ハンドルを上方（時計方向）に回転させると施錠状態に、下方（反時計方向）に回転させると解錠状態及び扉開き状態になる。両回転軸５、６は、いずれも各々の周囲に同心状に配された図略の捻りバネの作用により、回転力を解除すれば自動的に定位置に復帰する。
【００１９】
閂４は、図３に示すように、扉Ｔに固定されたブラケット４１に水平方向に移動可能に保持され、常時は扉Ｔの側面よりも先端が突出した位置にある。閂４は、突出部分より後方がくり抜かれて、そこにブラケット４１の爪４４が立てられ、爪４４と突出部分の背面との間にスプリング４２が圧縮状態で挿入されている。従って、閂４はスプリング４２により常時突出方向に付勢されている。但し、爪４４の裏面に当たるストップバー４５が閂４に一体的に形成されているので、それ以上突出することはない。閂４のくり抜き部分の後端面は、閂４の変位方向に対して４５°の角度をなすガイド面４３となっている。
【００２０】
ブラケット４１の後部背面には外回転軸６が、同じく後部正面には内回転軸５が各々貫通している。外回転軸６には外側開閉カム６１が嵌合されてブラケット４１に納められている。外側開閉カム６１の軸孔は外回転軸６の外周に形成された突起６２が遊びをもって嵌合するように部分的に内径が拡げられている。外側開閉カム６１の先端には常時は閂４のくり抜き部分の隅に挿入される円柱状の突起６３が立てられている。そして、この突起６３が外側開閉カム６１の反時計方向の回転に伴って前記ガイド面４３を滑ることにより、閂４がスプリング４２の復元力に抗して後退させられ、扉Ｔが開く状態となる。内回転軸６にも外側開閉カム６１と鏡像配置の内側開閉カムが嵌合されてブラケット４１に納められ、外側開閉カム６１と同様の作用をするが、煩雑を避けるために図示を省略する。
【００２１】
外回転軸６には、図４に示すように径方向に突出した鼻６４が常時は下方に位置するように、且つ外回転軸６と互いに共回りするように設けられている。この鼻６４は、その下方に鼻６４に対して往復動可能に設けられた錠７により回転が規制される。即ち、錠７の上端には鼻６４がはまる凹部７１が形成され、錠７が鼻６４に対して前進位置にあるときは凹部７１が鼻６４を捉えることにより鼻６４の変位を阻止し、同時に外回転軸６の回転を拘束する。これにより外ハンドル３が効かなくなり施錠状態となる。錠７の下部は逆Ｌ字形にくり抜かれ、そのくり抜き部分に軸回りに揺動する棒状の錠カム８が配されている。施錠時には錠カム８が時計回りに回転して前記Ｌ字の底を押し上げて錠７を鼻６４に向かって前進させ、解錠時には錠カム８が反時計回りに回転して前記Ｌ字の内角部を押し下げて錠７を後退させる。
【００２２】
錠カム８の回転軸８１（以下、錠カム軸８１という）は、以下のように内回転軸５の運動と関連して運動する。即ち、図５に示すように錠カム軸８１にはそれと共回りする小円盤８２が、内回転軸５にはそれと共回りする大円盤５２が各々回転軸と同心状に設けられている。小円盤８２と大円盤５２とは同じ長さの２本のリンクＡ、Ｂによって連結されている。リンクＡ、Ｂは、両円盤に対して回転対偶をなす。
【００２３】
リンクＡ、Ｂの小円盤８２側の連結軸Ａｓ、Ｂｓは、小円盤８２と同心の直径ｄの円周上で錠カム軸８１を中心とする互いに点対称の位置に設けられている。一方、大円盤５２側の連結軸Ａｂ、Ｂｂは、大円盤５２と同心の直径Ｄの円周に沿って形成された２つのガイド孔５３、５４に各々遊びをもって嵌合されている。小円盤８２の直径ｄと大円盤５２の直径ＤとはＤ＝２ｄの関係にある。従って、内ハンドル２の操作により大円盤５２が所定方向に４５°回転すると、小円盤８２は連動して同方向に９０°回転する。ただし、ガイド孔５３、５４が、中心角４５°に対応する円弧の範囲に亘って対向して形成されているので、内ハンドル２が定位置に復帰するときは連結軸Ａｂ、Ｂｂがガイド孔５３、５４の遊びの範囲で移動するだけで大円盤５２を連動させることはない。
【００２４】
この実施形態の開閉装置は、以上の構成を備えるので、次のように便利に使用することができる。即ち、使用者は外ハンドル３を約４５°下方に回転させて扉を開く。外ハンドル３から手を離して中に入る（外ハンドル３は自動的に定位置に復帰するとともに、スプリング４２の作用で閂４が扉の側面から突出する。）。内ハンドル２を握って扉を閉じた後（閉じる途中で閂４は扉の枠に押されて一旦後退するが、枠に付けられた留め金に対向すると再びスプリング４２の作用で突出して留め金にはまる。）、内ハンドル２を約４５°上方に回転させる。大円盤５２が回転し、それに伴って小円盤８２が錠カム軸８１とともに９０°回転する。同時に錠カム８の作用で錠７が前進（図４上方に移動）して鼻６４を捉え、外ハンドル３の回転を拘束する。こうして施錠状態となる。内ハンドル２から手を離すと内ハンドル２は図略の捻りバネの作用で定位置に復帰するが、大円盤５２はガイド孔５３、５４の遊びの範囲で回転するだけであるので、小円盤８２を連れ回りさせることはなく施錠状態は維持される。よって、使用者は中に入って扉を閉じてから施錠するまで内ハンドル２だけを握って操作することができる。
【００２５】
外に出るためには、内ハンドル２を約４５°下方に回転させるだけでよい。これにより、大円盤５２が回転して小円盤８２を連れ回りさせ、錠カム８の作用で錠７が後退して解錠状態になる。同時に、内側開閉カム５１の作用で閂４が後退して扉を開くことができる。従って、内ハンドル２を操作するだけで外出することができる。
【００２６】
−実施形態２−
実施形態１では内回転軸５の運動と錠カム軸８１の運動とを大小２つの円盤５２、８２及び２本のリンクＡ、Ｂにより関連させたが、実施形態２では大円盤５２に代えて図６に示すように大歯車９及びガイド板９１を、小円盤８２に代えて小歯車１０を、リンクＡ、Ｂに代えて両歯車９、１０の噛み合いを利用する。その他の構成要素は基本的に実施形態１と同じであるので同じ符号を用いて示す。
【００２７】
内回転軸５はガイド板９１と結合しており、それを共回りさせる。ガイド板９１の一方の側には片口のガイド孔９２が形成されている。このガイド孔９２が実施形態１のガイド孔５３、５４に相当する。ガイド孔９２は内回転軸５を中心とする中心角４５°に対する円弧の範囲に亘って形成されている。大歯車９は内回転軸５と滑りの良い図略の軸受けを介して同心を保たれているだけで内回転軸５に直接連動しない。
【００２８】
ただし、大歯車９の偏心位置にガイド孔９２に臨むガイド柱９３が固定されており、ガイド板９１が回転するとき、ガイド孔９２がガイド柱９３を案内するので、大歯車９も回転する。大歯車９と小歯車１０の歯数比は２である。従って、大歯車９が図６の状態から反時計回りに４５°回転するとき、小歯車１０は９０°回転する。内ハンドル２を上方に回転させて施錠するときはこのように運動する。
【００２９】
しかし、ガイド孔９２が遊びを有しているので、ガイド板９１が同じ角度だけ逆方向に回転するときは、大歯車９は停止したままである。施錠後に内ハンドル２が定位置に復帰するときはこのように運動する。そして、更にガイド板９１が時計回りに４５°回転するとき、小歯車１０が同方向に９０°回転する。内ハンドル２を定位置より下方に回転させて解錠するときはこのように運動する。
よって、この実施形態でも内ハンドル２を操作するだけで扉の開閉、施錠及び解錠を実現することができる。
【００３０】
−実施形態３−
これは、内ハンドルの回転軸が中空であって、錠カムの回転軸はその内部に同心上に設けられている開閉装置の例である。この種の開閉装置の場合、図７に鉛直方向断面図、図８に軸方向断面図として示すように前記内回転軸５と錠カム軸８１とは、第一、第二の二つの振り子１１、１２と一つのガイド板１３を介して連結される。
【００３１】
第一の振り子１１は、図略の内ハンドルケースの、内回転軸５から後述の距離だけ離れた位置にその内回転軸５と平行な軸の回りに揺動可能に固定されて、非先端部に回転面と直交するガイド柱１１ａ、先端部に凹部１１ｂを各々有する。第二の振り子１２は、一端が錠カム軸８１に固定されて錠カム軸８１とともに回転し、他端に回転面と直交し前記凹部１１ｂに遊びをもって嵌合するガイド柱１２ａを有する。これらの振り子１１、１２はともにガイド板１３の同一主面側でガイド柱１２ａと凹部１１ｂとの嵌合関係を維持しながら揺動する。そして、第一振り子１１の回転軸は、第一振り子１１が４５°回転する間に第二振り子１２が９０°回転するような位置に設けられている。
【００３２】
ガイド板１３の当該主面には、錠カム軸８１を包囲する円筒１３ａが同心状に固定されている。ただし、円筒１３ａの径方向一方の側は第二振り子１２が揺動する区間だけ切り取られている。そして円筒１３ａの端面に連結板１３ｂが固定され、連結板１３ｂに内回転軸５の端面が固定されている。尚、錠カム軸８１は連結板１３ｂに対して空転可能に貫通している。従って、内回転軸５と錠カム軸８１とは直接連動することはない。ガイド板１３の第一振り子１１側には４５°の中心角に対する円弧の範囲でガイド孔１３ｃが切り取られて形成され、前記ガイド柱１１ａはそのガイド孔１３ｃの範囲内に遊びをもって位置する。
【００３３】
施錠する時は、内ハンドル２を上方に約４５°回転させる。するとガイド板１３が図７に向かって反時計方向に４５°回転し、ガイド孔１３ｃによってガイド柱１１ａを案内し第一振り子１１を時計方向に４５°揺動させる。同時に第二振り子１２が第一振り子１１に連れられて９０°揺動し、それに伴って錠カム軸８１が共回りする。手を離して内ハンドル２が定位置に復帰してもガイド板１３がガイド孔１３ｃの遊びの範囲で変位するだけなので、ガイド柱１１ａを案内することはなく、錠カム軸８１は回転しない。従って、施錠状態は維持される。解錠するときは各回転要素が逆方向に回転して錠カム軸８１を解錠方向に共回りさせる。
よって、この実施形態でも内ハンドル２を操作するだけで扉の開閉、施錠及び解錠を実現することができる。
【００３４】
−実施形態４−
これは、再びハンドルの回転軸と錠カム軸とが非同心状に設けられている開閉装置の例であり、図９に鉛直方向断面図として示すようにガイド孔９２が錠カム軸８１側に設けられている以外は実施形態２のものと同じガイド板９１が内回転軸５と結合している。
【００３５】
そして、実施形態２の大歯車９に代えて茄子形の大円盤２１、小歯車１０に代えて茄子形の小円盤３１が用いられている。円盤２１、３１はともに対向する側に長く延びており、大円盤２１の先端に第一のガイド柱２２（ガイド柱ｂ）が立てられ、小円盤３１の延長部分にガイド柱２２があそびをもって嵌合する径方向に長いガイド孔３２が開けられている。また、大円盤２１の非先端位置にガイド孔９２に臨む第二のガイド柱２３（ガイド柱ａ）が立てられている。
【００３６】
この場合も施錠するときは内ハンドル２を上方に約４５°回転させる。すると、ガイド板９１が図９に向かって実線の位置から反時計方向に４５°回転し、ガイド孔９２が第二ガイド柱２３を反時計方向に案内する。その結果、大円盤２１が同方向に回転し、同時に第一ガイド柱２２がガイド孔３２内を滑りながら反時計方向に揺れて破線の位置にくる。それに伴って、小円盤３１が時計方向に回転し錠カム軸８１を共回りさせる。手を離して内ハンドル２が定位置に復帰してもガイド板９１がガイド孔９２の遊びの範囲で変位するだけなので、第二ガイド柱２３を案内することはなく、錠カム軸８１は回転しない。従って、施錠状態は維持される。解錠するときは各回転要素が逆方向に回転して錠カム軸８１を解錠方向に共回りさせる。
よって、この実施形態でも内ハンドル２を操作するだけで扉の開閉、施錠及び解錠を実現することができる。
【００３７】
−その他の実施形態−
内ハンドル２から錠カム軸８１への動力伝達機構として実施形態１でリンクを、実施形態２で歯車の噛み合いを例示したが、これらに限定されず、例えば実施形態２において歯車に代えてベルト及びプーリーを用いても同様に作用することは明らかである。また、閂を動かせる内外の開閉カムの構造や、外ハンドルの回転を拘束する錠の仕組みも上記の実施形態に限定されることなく、公知の技術を適用可能である。更に上記実施形態はトイレの扉をもって例示したが、オフィスビルの扉であっても同様に作用することも明らかである。
【００３８】
【発明の効果】
以上のように、本発明の開閉装置によれば、扉の内側のハンドルを離すことなく扉閉じから施錠まで、及び解錠から扉開きまでを行うことができるので、便利である。
【図面の簡単な説明】
【図１】実施形態１の開閉装置を示す正面図である。
【図２】実施形態１の開閉装置を示す右側面図である。
【図３】図２の３−３断面図である。
【図４】図２の４−４断面図である。
【図５】図２の５−５断面図である。
【図６】実施形態２の開閉装置の要部を示す断面図である。
【図７】実施形態３の開閉装置の要部を示す鉛直方向断面図である。
【図８】実施形態３の開閉装置の要部を示す軸方向断面図である。
【図９】実施形態４の開閉装置の要部を示す鉛直方向断面図である。
【符号の説明】
１  開閉装置
２  内ハンドル
３  外ハンドル
４  閂
４１  ブラケット
４２  スプリング
４３  ガイド面
４４  爪
４５  ストップバー
５  内ハンドルの回転軸（内回転軸）
５１  内側開閉カム
５２、２１  大円盤
５３、５４  ガイド孔
６  外ハンドルの回転軸（外回転軸）
６１  外側開閉カム
６２、６３  突起
６４  鼻
７  錠
７１  凹部
８  錠カム
８１  錠カムの回転軸（錠カム軸）
８２、３１  小円盤
９  大歯車
９１、１３  ガイド板
９２、３２  ガイド孔
９３、２２、２３  ガイド柱
１０  小歯車
１１  第一振り子
１２  第二振り子
１３ｃ  ガイド孔
【図１】
0004360507.tif 000002
【図２】
0004360507.tif 000003
【図３】
0004360507.tif 000004
【図４】
0004360507.tif 000005
【図５】
0004360507.tif 000006
【図６】
0004360507.tif 000007
【図７】
0004360507.tif 000008
【図８】
0004360507.tif 000009
【図９】
0004360507.tif 000010